(57)【要約】【課題】ガスコンロと第２ガス器具との間でガス流路を構成するガス管ユニットにおいて、ガスコンロ側の外部接続部と第２ガス器具側の外部接続部との位置関係が異なっても適用可能性がある構成を実現する。【解決手段】ガス管ユニット１は、第１ガス管１０と第２ガス管４０とを備える。第２ガス管４０は、第１ガス管１０の第２接続部１６に接続される第３接続部４６を一端側に有し、第２ガス器具側の外部接続部に接続される第４接続部４４を他端側に有し、第１ガス管１０に対し所定の回転軸線ＡＸを中心として回転自在に接続されている。第２ガス管４０の第４接続部４４は、回転軸線ＡＸからずれた位置に配置され、回転軸線ＡＸ周りに回転自在とされている。【選択図】図１
2020046152.tif 000002
【特許請求の範囲】
【請求項１】
ガスコンロと前記ガスコンロとは異なる第２ガス器具との間のガス流路となるガス管ユニットであって、
前記ガスコンロ側の外部接続部に接続される第１接続部を一端側に有し、第２接続部を他端側に有し、前記ガスコンロ側の外部接続部に通じる流路を構成する第１ガス管と、
前記第１ガス管の前記第２接続部に接続される第３接続部を一端側に有し、前記第２ガス器具側の外部接続部に接続される第４接続部を他端側に有し、前記第２ガス器具側の外部接続部及び前記第１ガス管に通じる流路を構成する第２ガス管と、
を備え、
前記第２ガス管は、前記第１ガス管に対し所定の回転軸線を中心として回転自在に接続され、
前記第４接続部は、前記回転軸線からずれた位置に配置され、前記回転軸線周りに回転自在とされている
ガス管ユニット。
【請求項２】
前記第２ガス管は、
前記回転軸線の方向に沿って延びるとともに、一端側に前記第３接続部が設けられた軸部と、
前記軸部の他端から折れ曲がるとともに前記軸部の方向に対して傾斜した所定方向に沿って延び、前記軸部とは反対側に前記第４接続部が設けられた延設部と、
を有する請求項１に記載のガス管ユニット。
【発明の詳細な説明】
【技術分野】
【０００１】
本発明はガス管ユニットに関するものである。
【背景技術】
【０００２】
従来、キャビネットにガスコンロとガスコンロ以外のガス器具（以下、第２ガス器具ともいう）とを組み込んだシステムが知られている。このシステムでは、例えば、特許文献１が開示するように、ガス供給元からのガスが第２ガス器具に供給され、さらに第２ガス器具とガスコンロとを接続するガス管を介してガスコンロにも供給される。
【先行技術文献】
【特許文献】
【０００３】
【特許文献１】特開２０１８−０７１９１９号公報
【発明の概要】
【発明が解決しようとする課題】
【０００４】
この種のシステムでは、ガスコンロと第２ガス器具をキャビネットに組み込んで使用する場合、ガスコンロ側の外部接続部と第２ガス器具側の外部接続部との相対的な位置関係が変わらなければ、ガスコンロの種類が変わっても単一のガス管を兼用することができる。しかし、ガスコンロ側の外部接続部（ガス管を接続する部位）の位置や向きは、ガスコンロの種類によって異なる場合があり、この場合、外部接続部のタイプ毎に専用のガス管を用意する必要がある。つまり、ある種類のガスコンロの外部接続部に合わせて適用できるガス管であっても、外部接続部の位置や向きが異なる別の種類のガスコンロに対しては適用できない場合が生じ得るため、このような場合には、それぞれ専用のガス管を設けなければならない。
【０００５】
本発明は、上述した課題の少なくとも一つを解決するためになされたものであり、ガスコンロと第２ガス器具との間でガス流路を構成するガス管ユニットにおいて、ガスコンロ側の外部接続部と第２ガス器具側の外部接続部との位置関係が異なっても適用可能性がある構成を実現することを目的とするものである。
【課題を解決するための手段】
【０００６】
本発明の一つであるガス管ユニットは、ガスコンロと前記ガスコンロとは異なる第２ガス器具との間のガス流路となるガス管ユニットであって、前記ガスコンロ側の外部接続部に接続される第１接続部を一端側に有し、第２接続部を他端側に有し、前記ガスコンロ側の外部接続部に通じる流路を構成する第１ガス管と、前記第１ガス管の前記第２接続部に接続される第３接続部を一端側に有し、前記第２ガス器具側の外部接続部に接続される第４接続部を他端側に有し、前記第２ガス器具側の外部接続部及び前記第１ガス管に通じる流路を構成する第２ガス管と、を備え、前記第２ガス管は、前記第１ガス管に対し所定の回転軸線を中心として回転自在に接続され、前記第４接続部は、前記回転軸線からずれた位置に配置され、前記回転軸線周りに回転自在とされている。
【０００７】
上記ガス管ユニットは、第１ガス管に対し第２ガス管が回転自在に接続され、第２ガス管の第４接続部（第２ガス器具側の外部接続部に接続される部位）は、回転軸線からずれた位置に配置され、回転軸線周りに回転自在とされている。このような構成であるため、ユーザは、第２ガス管を回転させて第４接続部を回転軸線周りに変位させるように調整することができる。よって、ガスコンロ側の外部接続部の位置や向きが異なっていても（即ち、第１ガス管が接続される位置や接続方向が異なっていても）、第２ガス管の第４接続部を所望の位置（第２ガス器具側の外部接続部付近）に近づけるように調整することができ、第４接続部を第２ガス器具側の外部接続部に接続しやすくなる。
【０００８】
上記ガス管ユニットにおいて、第２ガス管は、回転軸線の方向に沿って延びるとともに、一端側に第３接続部が設けられた軸部と、軸部の他端から折れ曲がるとともに軸部の方向に対して傾斜した所定方向に沿って延び、軸部とは反対側に第４接続部が設けられた延設部と、を有していてもよい。
この構成によれば、軸部の他端から折れ曲がって延びる延設部を設けるという簡素な形状によって「第４接続部を回転軸線からずれた位置に配置し、回転軸線周りに回転自在とする」構成を実現できる。よって、「ガスコンロ側の外部接続部と第２ガス器具側の外部接続部との位置関係が異なっても適用可能性がある構成」を、形状の複雑化を抑えた形で実現し得る。
【発明の効果】
【０００９】
本発明の一つであるガス管ユニットによれば、ガスコンロ側の外部接続部と第２ガス器具側の外部接続部との位置関係が異なっても適用可能性がある構成を実現し得る。
【図面の簡単な説明】
【００１０】
【図１】図１は、第１実施形態に係るガス管ユニットの側面図である。
【図２】図２は、第１実施形態に係るガス管ユニットの正面図である。
【図３】図３は、図１のＡ−Ａ位置で切断した切断面を概略的に示す断面図である。
【図４】図４は、第１のガスコンロと第２ガス器具側の接続部とを接続した状態を示す平面図である。
【図５】図５は、第２のガスコンロと第２ガス器具側の接続部とを接続した状態を示す平面図である。
【発明を実施するための形態】
【００１１】
＜第１実施形態＞
以下、本発明を具現化した第１実施形態について、図面を参照して説明する。
図１及び図２に示す第１実施形態のガス管ユニット１は、キャビネット９６（図４、図５参照）に組み込まれたガスコンロ９０（図４、図５参照）とこのガスコンロ９０とは異なる第２ガス器具（図示省略）とを接続するためのガス管ユニットである。ガス管ユニット１は、内側にガス流路が形成された管状をなしている。
【００１２】
ガス管ユニット１は、ガスコンロ９０と、第２ガス器具側の接続部９５（図４、図５参照）とを接続するものである。ガス管ユニット１がガスコンロ９０に接続されると、ガス管ユニット１側のガス流路とガスコンロ９０側のガス流路とが連通する。また、ガス管ユニット１が第２ガス器具側の接続部９５に接続されると、ガス管ユニット１側のガス流路と第２ガス器具側のガス流路とが連通する。ガス管ユニット１は、第２ガス器具側の接続部９５から供給されたガスをガスコンロ９０に供給し得る。第２ガス器具は、例えばオーブンなどが対象となる。なお、以下では、ガス管ユニット１のガスコンロ９０側を基端側とし、その反対側（第２ガス器具側）を先端側として説明する。接続部９５は、第２ガス器具側の外部接続部の一例に相当する。また、第１実施形態ではガス管ユニット１を金属製として説明するが、金属製以外（例えば合成樹脂製）であってもよい。ガス管ユニット１は、主として第１ガス管１０、第２ガス管４０などを備える。
【００１３】
第１ガス管１０は、基端部（一端）がガスコンロ９０の接続部９１（図４、図５参照）に接続されるとともに、先端部（他端）が第２ガス管４０の基端部に接続される。第１ガス管１０の基端部がガスコンロ９０の接続部９１に接続されると、第１ガス管１０側のガス流路とガスコンロ９０側のガス流路とが連通する。また、第１ガス管１０の先端部が第２ガス管４０の基端部に接続されると、第１ガス管１０側のガス流路と第２ガス管４０側のガス流路が連通する。第１ガス管１０は、第１管部１２と、第１接続部１４と、第２接続部１６とを有する。接続部９１は、ガスコンロ側の外部接続部の一例に相当する。
【００１４】
第１管部１２は、基端部及び先端部を除いた部分の一部が鋭角（例えば８０°程度）に屈曲し、屈曲部分よりも基端側の部分及び先端側の部分は共に直線状に延びている。
【００１５】
第１接続部１４は、ガスコンロ９０の接続部９１に接続される部分であり、第１管部１２の基端部に設けられ、第１ガス管１０（ガス管ユニット１）の基端部を構成する。
【００１６】
第２接続部１６は、第２ガス管４０に接続される部分であり、第１管部１２の先端部に設けられ、第１ガス管１０の先端部を構成する。第２接続部１６は、第３接続部４６に嵌合される被嵌合部として機能する。
【００１７】
第２ガス管４０は、基端部（一端）が第１ガス管１０の先端部（他端）に接続され、先端部（他端）が第２ガス器具側の接続部９５に接続される。第２ガス管４０の基端部が第１ガス管１０の先端部に接続されると、第２ガス管４０側のガス流路と第１ガス管１０側のガス流路とが連通する。また、第２ガス管４０の先端部が第２ガス器具側の接続部９５に接続されると、第２ガス管４０側のガス流路と第２ガス器具側のガス流路とが連通する。第２ガス管４０は、第２管部４２と、第４接続部４４と、第３接続部４６とを有する。
【００１８】
第２管部４２は、第１管部１２と内径及び外径が同一の管状に構成されており、軸部４２Ａと延設部４２Ｂとを有する。軸部４２Ａは、直線状に延びており、基端部（一端）が第１ガス管１０に接続され、先端部（他端）が延設部４２Ｂの基端部に連続している。延設部４２Ｂは、軸部４２Ａの先端部（他端）から折れ曲がって直線状に延び、第２ガス器具側の接続部９５に接続される。
【００１９】
第４接続部４４は、第２ガス器具側の接続部９５に接続される部分であり、第２管部４２の先端部に設けられ、第２ガス管４０（ガス管ユニット１）の先端部を構成する。
【００２０】
第３接続部４６は、第１ガス管１０の先端部（第２接続部１６）に接続される部分であり、第２管部４２の基端部に設けられ、第２ガス管４０の基端部を構成する。第２ガス管４０は、第３接続部４６が上述した第１ガス管１０の第２接続部１６に嵌め込まれることで第１ガス管１０に接続される。第３接続部４６は第２接続部１６と嵌合する嵌合部として機能する。
【００２１】
第２ガス管４０は、第１ガス管１０に接続された状態では、第１ガス管１０に対し回転軸線ＡＸを中心として回転自在に支持される。より具体的には、軸部４２Ａの軸線が第２ガス管４０の回転軸線ＡＸとなっているので、第２ガス管４０は、第１ガス管１０に対して軸部４２Ａの軸線周りに回転自在に支持される。また、第２ガス管４０は、先端部（第４接続部４４）が第２ガス管４０の回転軸線ＡＸ上からずれた位置に配置される。
【００２２】
続いて、図３を用いて、第１ガス管１０と第２ガス管４０との連結構造について説明する。第２接続部１６は、円筒状をなしており、内周面には基端側の開口部から挿入された第１管部１２の挿入方向への移動を規制する第１段差部１８が形成されている。第２接続部１６は、基端側の開口部から挿入された第１管部１２と溶接によって固定される。
【００２３】
第２接続部１６の内側には、先端側に開口した嵌合孔部２０が形成されており、この嵌合孔部２０には、第２ガス管４０の第３接続部４６が嵌め込まれる。嵌合孔部２０の基端部には、嵌合孔部２０に嵌め込まれた第３接続部４６の嵌合方向への移動を規制する規制部２２が形成されている。
【００２４】
第２接続部１６は、大径部２４、小径部２６、第１フランジ部２８、及び雄ネジ部３０を有する。大径部２４は、第２接続部１６の基端側の部分を構成しており、円筒状をなしている。小径部２６は、大径部２４の先端側の端面に連続して第２接続部１６の先端側の部分を構成しており、円筒状をなしている。大径部２４の外径は小径部２６の外径よりも大きくなっている。第１フランジ部２８は、大径部２４の先端側の外周面から径方向外方に張り出して周方向に１周する環状をなしている。雄ネジ部３０は、小径部２６の外周面に設けられている。
【００２５】
第３接続部４６は、円筒状をなしており、内周面には先端側の開口部から挿入された第２管部４２の挿入方向への移動を規制する第２段差部４８が形成されている。第３接続部４６は、先端側の開口部から挿入された第２管部４２と溶接によって固定される。
【００２６】
第３接続部４６は、筒部５０、第１突出部５２、及び第２突出部５４を有する。筒部５０は円筒状をなしている。第１突出部５２及び第２突出部５４は各々筒部５０の外周面から径方向外方に突出して周方向に１周する環状をなしている。第１突出部５２は、第３接続部４６の軸方向中央部に設けられており、第２突出部５４は、第３接続部４６の軸方向先端部に設けられている。第１突出部５２と第２突出部５４との間には、筒部５０の外周に沿って周方向に１周する環状の溝部５６が形成されている。
【００２７】
第３接続部４６は、筒部５０の外周に環状のシール部材６０が２つ取り付けられた状態で第２接続部１６に嵌め込まれる。２つのシール部材６０のうち、１つは第１突出部５２の先端側に配置され、もう１つは溝部５６内に配置される。第３接続部４６は、第２接続部１６の嵌合孔部２０に嵌め込まれ、基端部が規制部２２に当接することで嵌合方向への位置決めがされる。第３接続部４６は、基端部が規制部２２に当接した状態では、先端側の端面が第２接続部１６の先端側の端面よりも僅かに基端側の位置に配置される。
【００２８】
ガス管ユニット１は、第１保持具７０と第２保持具８０とを備える。第１保持具７０は、第３接続部４６が第２接続部１６に嵌め込まれた状態（第１ガス管１０と第２ガス管４０とが接続された状態）を保持する部材である。第１保持具７０は、筒部７２、雌ネジ部７４、蓋部７６、及び第２フランジ部７８を有する。筒部７２は、円筒状をなしており、内径が第２接続部１６の小径部２６の外径よりも大きく、外径が第２接続部１６の大径部２４の外径と略同一となっている。雌ネジ部７４は、筒部７２の内周面に設けられており、第２接続部１６の雄ネジ部３０にネジ止めされる。
【００２９】
蓋部７６は、筒部７２の先端側の開口部を覆うように設けられており、中央部には第２管部４２の外径よりも僅かに大きい内径の貫通孔７６Ａが形成されている。第１保持具７０は、貫通孔７６Ａに第２管部４２が挿通された状態で、雌ネジ部７４が第２接続部１６の雄ネジ部３０にねじ込まれ、蓋部７６の基端側の端面が第２接続部１６の先端側の端面に当接することで位置決めされる。これにより、第３接続部４６が第２接続部１６に嵌め込まれた状態が保持され、第１ガス管１０と第２ガス管４０とが連結される連結状態となる。
【００３０】
第２フランジ部７８は、筒部７２の基端側の外周面から径方向外方に突出して周方向に１周する環状をなしている。
【００３１】
第２保持具８０は、第２接続部１６に第１保持具７０がネジ止めされた状態を保持する部材である。第２保持具８０は、例えばクイックファスナとして構成されている。第２保持具８０は、板状をなしており、一対の対向部８２，８２、支持部８４、一対の把持部８６，８６、及び一対の孔部８８，８８を有する。
【００３２】
一対の対向部８２，８２は、互いに対向しており、一端同士が支持部８４によって接続されている。一対の対向部８２，８２は、互いに対向する面が第２接続部１６の大径部２４の外周面及び第１保持具７０の筒部７２の外周面に沿うように湾曲している。一対の対向部８２，８２のうち、一方の対向部８２の他端には一方の把持部８６が連なっており、他方の対向部８２の他端には他方の把持部８６が連なっている。また、一対の孔部８８，８８のうち、一方の孔部８８は一方の把持部８６から一方の把持部８６に跨って形成されており、他方の孔部８８は他方の把持部８６から他方の把持部８６に跨って形成されている。第２保持具８０は、支持部８４を支点として、一対の対向部８２，８２の他端同士が互いに離れる方向又は近づく方向に弾性変形し得る。
【００３３】
第２保持具８０は、弾性変形することで、一対の対向部８２，８２の各々の内側面が第２接続部１６の大径部２４の外周面及び第１保持具７０の筒部７２の外周面に沿うようにして装着される。このとき、一対の孔部８８，８８に第１フランジ部２８及び第２フランジ部７８を嵌め込むことで、第１フランジ部２８及び第２フランジ部７８が互いに離れることが規制され、その結果、第２接続部１６と第１保持具７０とが互いに離れることが規制される。即ち、第２接続部１６に第１保持具７０がネジ止めされた状態が保持される。これにより、第１ガス管１０と第２ガス管４０とが連結された連結状態が保持される。
【００３４】
上述した連結状態では、第３接続部４６は、第２接続部１６に対して回転軸線ＡＸを回転軸として回転自在となる。即ち、第３接続部４６と同軸状をなす軸部４２Ａは、第２接続部１６に対して回転軸線ＡＸを回転軸として回転自在となる。したがって、第２ガス管４０は、第２接続部１６に対して軸部４２Ａの軸線周りに回転自在に支持される。更に、第２ガス管４０の第４接続部４４（先端部）は回転軸線ＡＸ上からずれた位置に配置されているので、第２ガス管４０が第１ガス管１０に対して回転すると、第２ガス管４０の第４接続部４４（先端部）の位置が変わるようになっている。
【００３５】
続いて、上述したガス管ユニット１の使用例について説明する。
ここでは、キャビネット９６にガスコンロ９０及び第２ガス器具（図示省略）が組み込まれている場合、より具体的には、キャビネット９６の上部にガスコンロ９０が組み込まれ、仕切り板部９７を挟んでガスコンロ９０の下方（真下）に第２ガス器具が配置される場合について説明する。
【００３６】
図４及び図５に示すように、仕切り板部９７の右側の後端部寄りの位置には、上下方向に貫通した貫通孔９８が形成されている。仕切り板部９７の下方の領域では、第２ガス器具から延びるガス管（図示省略）が、自身の内側のガス流路と貫通孔９８とが連通するように仕切り板部９７の下面に固定される。そして、仕切り板部９７の上方の領域では、第３ガス管９４が、自身の内側のガス流路と貫通孔９８とが連通するように、一端が仕切り板部９７の上面に固定される。第３ガス管９４は、例えば可撓性を有するフレキシブル管であり、他端がガス管ユニット１の先端部（第４接続部４４）に接続される。即ち、第３ガス管９４の他端部を構成する接続部９５が、第２ガス器具側の外部接続部に相当する。第３ガス管９４の接続部９５が第２ガス管４０（ガス管ユニット１）の先端部（第４接続部４４）に接続されると、第３ガス管９４側のガス流路と第２ガス管４０（ガス管ユニット１）側のガス流路とが連通する。
【００３７】
図４及び図５では、ガスコンロ９０の接続部９１とガス管ユニット１との接続状態が分かりやすいように、ガスコンロ９０については、接続部９１の上方の部材を取り外した状態を示している。
【００３８】
図４に示す第１のガスコンロ９０Ａ及び図５に示す第２のガスコンロ９０Ｂは、ともに接続部９１が左側の後端部寄りの位置に配置される点、ガスコンロ９０の背面部を構成する背面板部９２を有する点、及び背面板部９２の左側の端部に前後方向に貫通した貫通孔９３が形成されている点で共通する。しかし、第１のガスコンロ９０Ａ及び第２のガスコンロ９０Ｂは、接続部９１の接続口の向きが互いに異なっている。具体的には、図４に示す第１のガスコンロ９０Ａは、接続部９１Ａの接続口の向きが第１のガスコンロ９０Ａの真後ろを向いている。これに対し、図５に示す第２のガスコンロ９０Ｂは、接続部９１Ｂの接続口の向きが真後ろに対して左方（貫通孔９８から離れる方向）に傾いている。
【００３９】
図４に示すように、ガス管ユニット１は、第１のガスコンロ９０Ａと接続部９５とを接続する場合、まず第１接続部１４が第１のガスコンロ９０Ａの背面板部９２Ａに形成された貫通孔９３Ａを通じて第１のガスコンロ９０Ａ内に挿入され、第１のガスコンロ９０Ａの接続部９１Ａに接続される。そして、ガス管ユニット１は、先端部が接続部９５側に向けられる。このとき、ガス管ユニット１の第１管部１２は、第１のガスコンロ９０Ａの接続部９１Ａから真後ろに延び、屈曲して接続部９５の少し前方の位置に向かって延びる形態となる。この状態において、第２ガス管４０を第１ガス管１０に対して回転させ、第２ガス管４０の先端部（第４接続部４４）が斜め後方を向くようにすると、第２ガス管４０は先端部（第４接続部４４）が接続部９５に向かって延びる形態となり、第２ガス管４０の先端部（第４接続部４４）が接続部９５の近傍に配置される。このため、ユーザは、第３ガス管９４を撓ませて、第２ガス管４０の先端部（第４接続部４４）と接続部９５とを接続させることができる。
【００４０】
これに対し、ガス管ユニット１は、図５に示す第２のガスコンロ９０Ｂと接続部９５とを接続する場合、まず第１接続部１４が第２のガスコンロ９０Ｂの背面板部９２Ｂに形成された貫通孔９３Ｂを通じて第２のガスコンロ９０Ｂ内に挿入され、第２のガスコンロ９０Ｂの接続部９１Ｂに接続される。そして、ガス管ユニット１は、先端部が接続部９５側に向けられる。このとき、ガス管ユニット１の第１管部１２は、第２のガスコンロ９０Ｂの接続部９１Ｂから真後ろの左方寄り（接続部９５から離れる方向寄り）の方向に延び、屈曲して接続部９５の少し後方の位置に向かって延びる形態となる。この状態において、第２ガス管４０を第１ガス管１０に対して回転させ、第２ガス管４０の先端部（第４接続部４４）が斜め前方を向くようにすると、第２ガス管４０は先端部（第４接続部４４）が接続部９５に向かって延びる形態となり、第２ガス管４０の先端部（第４接続部４４）が接続部９５の近傍に配置される。このため、ユーザは、第３ガス管９４を撓ませて、第２ガス管４０の先端部（第４接続部４４）と接続部９５とを接続させることができる。
【００４１】
次に本構成の主な効果を例示する。
上記ガス管ユニット１において、第１ガス管１０は、接続部９１（ガスコンロ側の外部接続部）に接続される第１接続部１４を一端側に有し、第２接続部１６を他端側に有し、接続部９１（ガスコンロ側の外部接続部）に通じる流路を構成する。そして、第２ガス管４０は、第１ガス管１０の第２接続部１６に接続される第３接続部４６を一端側に有し、接続部９５（第２ガス器具側の外部接続部）に接続される第４接続部４４を他端側に有し、接続部９５（第２ガス器具側の外部接続部）及び第１ガス管１０に通じる流路を構成する。そして、第２ガス管４０は、第１ガス管１０に対し所定の回転軸線ＡＸを中心として回転自在に接続され、第４接続部４４は、回転軸線ＡＸからずれた位置に配置され、回転軸線ＡＸ周りに回転自在とされている。このような構成であるため、ユーザは、第２ガス管４０を回転させて第４接続部４４を回転軸線ＡＸ周りに変位させるように調整することができる。よって、ガスコンロ側の外部接続部の位置や向きが異なっていても（即ち、第１ガス管１０が接続される位置や接続方向が異なっていても）、第２ガス管４０の第４接続部４４を所望の位置（第２ガス器具側の外部接続部付近）に近づけるように調整することができ、第４接続部４４を第２ガス器具側の外部接続部に接続しやすくなる。
【００４２】
また、第２ガス管４０は、回転軸線ＡＸの方向に沿って延びるとともに、一端側に第３接続部４６が設けられた軸部４２Ａと、軸部４２Ａの他端から折れ曲がるとともに軸部４２Ａの方向に対して傾斜した所定方向に沿って延び、軸部４２Ａとは反対側に第４接続部４４が設けられた延設部４２Ｂと、を有する。この構成によれば、軸部４２Ａの他端から折れ曲がって延びる延設部４２Ｂを設けるという簡素な形状によって「第４接続部４４を回転軸線ＡＸからずれた位置に配置し、回転軸線ＡＸ周りに回転自在とする」構成を実現できる。よって、「ガスコンロ側の外部接続部と第２ガス器具側の外部接続部との位置関係が異なっても適用可能性がある構成」を、形状の複雑化を抑えた形で実現し得る。
【００４３】
＜他の実施形態＞
本発明は、本明細書の実施形態の各態様や変形例に限られるものではなく、その趣旨を逸脱しない範囲において種々の構成で実現できる。例えば、発明の概要の欄に記載した各形態中の技術的特徴に対応する実施形態、実施例、変形例中の技術的特徴は、先述の課題の一部又は全部を解決するために、あるいは、先述の効果の一部又は全部を達成するために、適宜、差し替えや、組み合わせを行うことができる。その技術的特徴が本明細書中に必須なものとして説明されていなければ、適宜、削除できる。変更例としては、例えば、以下のようなものが該当する。
【００４４】
上記実施形態では、第２ガス管４０が、直線状の軸部４２Ａと、軸部４２Ａの先端部から折れ曲がって延びる直線状の延設部４２Ｂとを有するようにしたが、第２ガス管４０の先端部が回転軸線ＡＸ線上からずれた位置に配置される構成であれば、別の構成であってもよい。例えば、延設部４２Ｂは、直線状でなくともよく、曲線状や途中で屈曲する形状であってもよい。また、第２ガス管４０の第２管部４２は、第１ガス管１０との接続部分から回転軸線ＡＸに沿って延びる形状でなくてもよく、第１ガス管１０との接続部分から回転軸線ＡＸと交差する方向に延びる形状であってもよい。
【００４５】
上記実施形態では、ガス管ユニット１を、第２ガス器具側の接続部９５から供給されたガスをガスコンロ９０に供給するガス管ユニットとして説明したが、ガスコンロ９０から供給されたガスを第２ガス器具側の接続部９５に供給するガス管ユニットとしてもよい。
【符号の説明】
【００４６】
１…ガス管ユニット
１０…第１ガス管
１４…第１接続部
１６…第２接続部
４０…第２ガス管
４２Ａ…軸部
４２Ｂ…延設部
４４…第４接続部
４６…第３接続部
９０…ガスコンロ
９０Ａ…第１のガスコンロ
９０Ｂ…第２のガスコンロ
９１…接続部（ガスコンロ側の外部接続部）
９５…接続部（第２器具側の外部接続部）
ＡＸ…回転軸線
【図１】
2020046152.tif 000003
【図２】
2020046152.tif 000004
【図３】
2020046152.tif 000005
【図４】
2020046152.tif 000006
【図５】
2020046152.tif 000007